(57)【特許請求の範囲】
【請求項１】
２以上の伝導性ユニットおよび前記伝導性ユニットの各々に連結された伝導性連結部を含む第１電極、
前記第１電極に対向して備えられた第２電極、
前記第１電極と前記第２電極との間に備えられた１層以上の有機物層、
前記各々の伝導性連結部と電気的に連結される補助電極、および
前記伝導性連結部と前記補助電極との間に備えられ、前記伝導性連結部の少なくとも一部を前記補助電極から絶縁する絶縁層を含み、
前記伝導性連結部は、電流が流れる方向の長さがそれに垂直方向の幅より長い短絡防止領域を含み、
前記第１電極と前記補助電極との間に備えられた短絡防止層をさらに含み、
前記補助電極は短絡防止層を経由して前記伝導性ユニットを電気的に連結する、
有機発光素子。
【請求項２】
前記絶縁層は、前記伝導性連結部の短絡防止領域の少なくとも一部を前記補助電極から絶縁する、請求項１に記載の有機発光素子。
【請求項３】
前記絶縁層は前記伝導性連結部の短絡防止領域上に備えられ、
前記補助電極の少なくとも一部は前記絶縁層上に備えられる、請求項１に記載の有機発光素子。
【請求項４】
前記補助電極と前記伝導性連結部は、前記有機発光素子の非発光領域に重なって備えられる、請求項１に記載の有機発光素子。
【請求項５】
前記伝導性ユニットは電気的に並列連結される、請求項１に記載の有機発光素子。
【請求項６】
前記各々の伝導性ユニットは１つの前記伝導性連結部の一末端部と電気的に連結され、
前記補助電極は１つの前記伝導性連結部の他末端部と電気的に連結される、請求項１に記載の有機発光素子。
【請求項７】
２以上の伝導性ユニット、前記伝導性ユニットの各々に連結された伝導性連結部、および前記２以上の伝導性連結部を電気的に連結する通電部を含む第１電極、
前記第１電極に対向して備えられた第２電極、
前記第１電極と前記第２電極との間に備えられた１層以上の有機物層、
前記各々の伝導性連結部と電気的に連結される補助電極、および
前記伝導性連結部と前記補助電極との間に備えられ、前記伝導性連結部の少なくとも一部を前記補助電極から絶縁する絶縁層を含み、
前記伝導性連結部は、短絡防止領域を含み、
前記補助電極は前記第１電極の通電部を介して前記伝導性連結部と電気的に連結される、有機発光素子。
【請求項８】
前記補助電極は、前記伝導性ユニットから離隔して配置される、請求項１に記載の有機発光素子。
【請求項９】
前記伝導性連結部の抵抗は１，０００Ω以上３００，０００Ω以下である、請求項１に記載の有機発光素子。
【請求項１０】
前記１つの伝導性ユニットから隣り合う他の１つの伝導性ユニットまでの抵抗は、前記伝導性連結部の抵抗の２倍以上である、請求項１に記載の有機発光素子。
【請求項１１】
前記補助電極は前記伝導性ユニットから離隔して配置され、
前記補助電極は１以上の前記伝導性ユニットを囲む３以上の分岐を有する分岐点を２以上含む網状構造で備えられる、請求項１に記載の有機発光素子。
【請求項１２】
隣接する前記分岐点間の抵抗が３５Ω以下である、請求項１１に記載の有機発光素子。
【請求項１３】
前記第１電極は、互いに離隔した１，０００個以上の前記伝導性ユニットを含む、請求項１に記載の有機発光素子。
【請求項１４】
前記各々の伝導性ユニットの面積は０．０１ｍｍ２以上２５ｍｍ２以下である、請求項１に記載の有機発光素子。
【請求項１５】
前記各々の伝導性ユニットのシート抵抗は１Ω／□以上である、請求項１に記載の有機発光素子。
【請求項１６】
前記補助電極のシート抵抗は３Ω／□以下である、請求項１に記載の有機発光素子。
【請求項１７】
前記短絡防止層の厚さは１ｎｍ以上１０μｍ以下である、請求項１に記載の有機発光素子。
【請求項１８】
前記短絡防止層は、炭素粉末、炭素被膜、導電性高分子、有機高分子、金属、金属酸化物、無機酸化物、金属硫化物、および絶縁物質からなる群から選択される１種または２種以上を含む、請求項１に記載の有機発光素子。
【請求項１９】
前記有機発光素子は、色温度２，０００Ｋ以上１２，０００Ｋ以下の白色光を発光する、請求項１に記載の有機発光素子。
【請求項２０】
前記第１電極の有機物層が備えられる面と対向する面に備えられた基板をさらに含み、
前記基板と前記第１電極との間に備えられた光散乱層をさらに含む、請求項１に記載の有機発光素子。
【請求項２１】
前記光散乱層は平坦層を含む、請求項２０に記載の有機発光素子。
【請求項２２】
前記第１電極の有機物層が備えられる面と対向する面に備えられた基板をさらに含み、
前記基板の第１電極が備えられる面と対向する面に光散乱層をさらに含む、請求項１に記載の有機発光素子。
【請求項２３】
前記有機発光素子は、フレキシブル（ｆｌｅｘｉｂｌｅ）有機発光素子である、請求項１に記載の有機発光素子。
【請求項２４】
請求項１〜２３のいずれか１項に記載の有機発光素子を含むディスプレイ装置。
【請求項２５】
請求項１〜２３のいずれか１項に記載の有機発光素子を含む照明装置。
【請求項２６】
基板を準備するステップ、
前記基板上に２以上の伝導性ユニットおよび前記伝導性ユニットの各々に連結された伝導性連結部を含む第１電極を形成するステップ、
前記基板上に補助電極を形成するステップ、
前記伝導性連結部の少なくとも一領域と前記補助電極との間に絶縁層を形成するステップ、
前記第１電極上に１層以上の有機物層を形成するステップ、および
前記有機物層上に第２電極を形成するステップを含む
請求項１〜２３のいずれか１項に記載の有機発光素子の製造方法。
【請求項２７】
前記第１電極を形成するステップは、前記基板上に第１電極物質を塗布した後にパターニングするものである、請求項２６に記載の有機発光素子の製造方法。
【請求項２８】
前記第１電極を形成するステップと前記補助電極を形成するステップとの間に、前記第１電極と前記補助電極との間に備えられるように短絡防止層を形成するステップをさらに含む、請求項２６に記載の有機発光素子の製造方法。
【発明の詳細な説明】
【技術分野】
【０００１】
本明細書は有機発光素子およびその製造方法に関する。
本明細書は２０１３年５月１６日に韓国特許庁に提出された韓国特許出願第１０−２０１３−００５５９９７号の出願日の利益を主張し、その内容の全ては本明細書に含まれる。
【背景技術】
【０００２】
有機発光現象とは、有機物質を用いて電気エネルギーを光エネルギーに転換させる現象をいう。すなわち、アノードとカソードとの間に適切な有機物層を位置させた時、２つの電極の間に電圧を印加すれば、陽極からは正孔が、カソードからは電子が前記有機物層に注入される。この注入された正孔と電子が結合した時に励起子（ｅｘｃｉｔｏｎ）が形成され、この励起子が再び基底状態に落ちる時に光を生成するようになる。
【０００３】
アノードとカソードとの間隔が小さいため、有機発光素子は短絡欠陥を有し易い。ピンホール、亀裂、有機発光素子の構造での段（ｓｔｅｐ）およびコーティングの粗度（ｒｏｕｇｈｎｅｓｓ）などによってアノードとカソードが直接接触できるようになるか、または有機層の厚さがこれらの欠陥区域においてより薄くなるようにする。これらの欠陥区域は電流が流れるようにする低抵抗経路を提供して、有機発光素子を通して電流がほぼまたは極端な場合は全く流れないようにする。これにより、有機発光素子の発光出力が減少するかまたは無くなることになる。マルチピクセルのディスプレイ装置においては、短絡欠陥が光を放出しないかまたは平均光強度未満の光を放出する死んだ画素を生成させてディスプレイの品質を減少させる。照明または他の低解像度の用途においては、短絡欠陥により、該当区域のうちの相当部分が作動しないことがある。短絡欠陥に対する恐れのため、有機発光素子の製造は典型的に清浄室で行われる。しかし、いくら清浄な環境であるとしても短絡欠陥を無くすのに効果的ではない。多くの場合は、２つの電極間の間隔を増加させて短絡欠陥数を減少させるために、有機層の厚さを装置を作動させるのに実際に必要なものよりさらに多く増加させたりもする。このような方法は有機発光素子の製造に費用を追加させることになり、さらに、このような方法では短絡欠陥を完全に除去することができない。
【先行技術文献】
【特許文献】
【０００４】
【特許文献１】韓国公開特許第２００６−０１３０７２９号公報
【発明の概要】
【発明が解決しようとする課題】
【０００５】
本発明者らは、有機発光素子の開口率を維持しつつ、短絡欠陥が発生した場合にも正常範囲で作動可能な有機発光素子およびその製造方法を提供することを目的とする。
【課題を解決するための手段】
【０００６】
本明細書の一実現例は、２以上の伝導性ユニットおよび前記伝導性ユニットの各々に連結された伝導性連結部を含む第１電極、前記第１電極に対向して備えられた第２電極、前記第１電極と前記第２電極との間に備えられた１層以上の有機物層、前記各々の伝導性連結部と電気的に連結される補助電極、および前記伝導性連結部と前記補助電極との間に備えられ、前記伝導性連結部の少なくとも一部を前記補助電極から絶縁する絶縁層を含み、前記伝導性連結部は、電流が流れる方向の長さがそれに垂直方向の幅より長い短絡防止領域を含む有機発光素子を提供する。
【０００７】
本明細書の一実現例は、基板を準備するステップ、前記基板上に２以上の伝導性ユニットおよび前記伝導性ユニットの各々に連結された伝導性連結部を含む第１電極を形成するステップ、前記基板上に補助電極を形成するステップ、前記伝導性連結部の少なくとも一領域と前記補助電極との間に絶縁層を形成するステップ、前記第１電極上に１層以上の有機物層を形成するステップ、および前記有機物層上に第２電極を形成するステップを含む前記有機発光素子の製造方法を提供する。
【０００８】
また、本明細書の一実現例は前記有機発光素子を含むディスプレイ装置を提供する。
なお、本明細書の一実現例は前記有機発光素子を含む照明装置を提供する。
【発明の効果】
【０００９】
本明細書の有機発光素子は、基板そのものの欠陥による短絡が発生した場合であっても有機発光素子の機能を正常に維持することができる。
また、本明細書の有機発光素子は、短絡発生地点の面積大きさが増加しても、漏れ電流量が増加することなく安定した作動が可能である。
なお、本明細書の有機発光素子は、開口率を維持しつつも補助電極を配置できるという長所がある。
【図面の簡単な説明】
【００１０】
【図１】本明細書による第１電極の一例を示すものである。
【図２】本明細書による第１電極の一例を示すものである。
【図３】本明細書による第１電極の一例を示すものである。
【図４】本明細書による絶縁層が備えられた第１電極の一例を示すものである。
【図５】本明細書による絶縁層が備えられた第１電極の一例を示すものである。
【図６】本明細書の伝導性連結部において、短絡防止領域の長さと幅の一例を示すものである。
【図７】本明細書による有機発光素子の１つの製造ステップを示すものである。
【図８】本明細書による有機発光素子の１つの製造ステップを示すものである。
【図９】本明細書の絶縁層が備えられていない場合と絶縁層が備えられた場合を比較して示すものである。
【図１０】本明細書による有機発光素子の駆動特性を示すものである。
【発明を実施するための形態】
【００１１】
本出願の利点および特徴、そしてそれらを達成する方法は、添付図面と共に詳細に後述している実施状態を参照すれば明らかになるであろう。しかし、本出願は、以下にて開示する実施状態に限定されず、互いに異なる様々な形態で実現され、本実施状態は、単に本出願の開示が完全になるようにし、本出願が属する技術分野で通常の知識を有する者に発明の範疇を完全に知らせるために提供されるものであって、本出願は、請求項の範囲によって定義されるのみである。図面に示された構成要素の大きさおよび相対的な大きさは説明の明瞭性のために誇張されることがある。
【００１２】
他の定義がなければ、本明細書に用いられる全ての用語（技術および科学的な用語を含む）は、本出願が属する技術分野で通常の知識を有する者にとって共通に理解できる意味として用いられる。また、一般的に用いられる辞書に定義されている用語は、明らかに特に定義されていない限り、理想的にまたは過度に解釈されないものである。
【００１３】
本明細書において、ある部材が他の部材「上」に位置しているとする時、これは、ある部材が他の部材に接している場合だけでなく、２つの部材の間にまた他の部材が存在する場合も含む。
【００１４】
本明細書において、ある部分がある構成要素を「含む」とする時、これは、特に反対な記載がない限り、他の構成要素を除くものではなく、他の構成要素をさらに含むことができることを意味する。
【００１５】
以下、本明細書についてより詳細に説明する。
本明細書の一実現例は、２以上の伝導性ユニットおよび前記伝導性ユニットの各々に連結された伝導性連結部を含む第１電極、前記第１電極に対向して備えられた第２電極、前記第１電極と前記第２電極との間に備えられた１層以上の有機物層、前記各々の伝導性連結部と電気的に連結される補助電極、および前記伝導性連結部と前記補助電極との間に備えられ、前記伝導性連結部の少なくとも一部を前記補助電極から絶縁する絶縁層を含み、前記伝導性連結部は、電流が流れる方向の長さがそれに垂直方向の幅より長い短絡防止領域を含む有機発光素子を提供する。
【００１６】
本明細書の前記各々の伝導性ユニットは、短絡防止機能を有する領域を経て電流が供給されることができる。具体的には、本明細書の一実現例によれば、前記短絡防止機能を有する領域は、下記で記述する伝導性連結部および／または短絡防止層となることができる。
【００１７】
本明細書の前記伝導性ユニットは互いに電気的に分離していることができ、補助電極から短絡防止機能を含む領域を経て各々の伝導性ユニットに電流が供給されることができる。これは、いずれか１つの伝導性ユニットに短絡が発生する場合、短絡が発生していない他の伝導性ユニットに流れなければならない電流が短絡が発生した伝導性ユニットに流れるようになり、有機発光素子の全体が作動しないことを防止するためである。
【００１８】
本明細書の一実現例によれば、前記伝導性ユニットは各々電気的に並列連結されることができる。
本明細書の一実現例によれば、前記各々の伝導性ユニットは１つの前記伝導性連結部の一末端部と電気的に連結され、前記補助電極は１つの前記伝導性連結部の他末端部と電気的に連結されることができる。
【００１９】
本明細書の一実現例によれば、前記第１電極は前記２以上の伝導性連結部を電気的に連結する第１電極の通電部をさらに含み、前記補助電極は前記第１電極の通電部を介して前記伝導性連結部と電気的に連結されることができる。具体的には、前記補助電極は前記第１電極の通電部上に備えられることができる。
【００２０】
本明細書の前記第１電極の通電部は各々の前記伝導性連結部を物理的に連結し、各々の伝導性連結部を通して各伝導性ユニットに電流が流れるようにする役割をすることができる。
本明細書の一実現例によれば、前記第１電極の通電部または補助電極は前記伝導性ユニットから離隔して備えられることができる。
【００２１】
本明細書の一実現例によれば、前記有機発光素子は、前記第１電極の通電部および補助電極を全て含むことができる。具体的には、本明細書の一実現例によれば、前記補助電極は前記第１電極の通電部を介して前記伝導性連結部と電気的に連結されることができる。具体的には、前記補助電極は前記第１電極の通電部上に備えられることができる。
【００２２】
前記「通電部上」とは、必ずしも通電部の上面だけを意味するのではなく、通電部の一側面を意味することもできる。また、前記通電部上とは、前記通電部の上面、下面または側面の一領域を意味することもできる。また、前記通電部上とは、通電部の上面の一領域および側面の一領域を含むこともでき、通電部の下面の一領域および側面の一領域を含むことができる。
【００２３】
本明細書の前記第１電極の通電部は各々の前記伝導性連結部を物理的に連結し、各々の伝導性連結部を通して各伝導性ユニットに電流が流れるようにする役割をすることができる。
【００２４】
本明細書の前記伝導性ユニットは、前記第１電極のパターニング過程を通じて第１電極の通電部および伝導性連結部によって物理的に連結された形態を有し、電気的に並列連結されることができる。これに対する１つの例示を図１に示す。図１において、パターニングされた第１電極は、伝導性ユニット１、伝導性連結部２および第１電極の通電部４で構成されることが分かる。
【００２５】
本明細書の各々の前記伝導性ユニットは、前記補助電極から前記伝導性連結部を通して電流の供給を受けることができる。または、前記伝導性ユニットは、前記補助電極、前記第１電極の通電部を通して電流の供給を受けることができる。
【００２６】
本明細書の前記伝導性連結部は、前記第１電極のパターニング過程を通じて各々の前記伝導性ユニットと連結される形態でパターニングされることができる。これに対する１つの例示を図２および図３に示す。図２および図３において、パターニングされた第１電極は伝導性ユニット１および伝導性連結部２で構成されることが分かる。
【００２７】
本明細書の前記伝導性ユニットは前記有機発光素子の発光領域に含まれることができる。具体的には、本明細書の一実現例によれば、前記各々の伝導性ユニットの少なくとも一領域は前記有機発光素子の発光領域に位置することができる。すなわち、本明細書の一実現例によれば、前記伝導性ユニットをなす領域上に形成された発光層を含む有機物層から発光現象が発生し、前記伝導性ユニットを通して光が放出されることができる。
【００２８】
本明細書の前記有機発光素子の電流の流れは前記補助電極、前記伝導性連結部、前記伝導性ユニット、前記有機物層、前記第２電極の方向に流れることができ、その逆方向に流れることができる。または、本明細書の前記有機発光素子の電流の流れは前記補助電極、前記第１電極の通電部、前記伝導性連結部、前記伝導性ユニット、前記有機物層、前記第２電極の方向に流れることができ、その逆方向に流れることができる。
【００２９】
本明細書の一実現例によれば、各々の前記伝導性ユニットは、前記伝導性連結部を通して前記補助電極から電流の供給を受けることができる。
【００３０】
本明細書における発光領域は、有機物層の発光層から発光する光が第１電極および／または第２電極を通して放出される領域を意味する。例えば、本明細書の一実現例による有機発光素子において、前記発光領域は、基板上に第１電極が形成された領域のうち、伝導性連結部、補助電極および／または短絡防止層が形成されていない第１電極の領域の少なくとも一部に形成されることができる。また、本明細書における非発光領域は、前記発光領域を除いた残りの領域を意味することができる。
【００３１】
本明細書の一実現例によれば、前記第１電極の通電部、補助電極および伝導性連結部は前記有機発光素子の非発光領域に位置することができる。
【００３２】
本明細書の前記各々の伝導性ユニットは互いに離隔しており、各々の伝導性ユニットは前記伝導性連結部に連結される第１電極の通電部または補助電極から電流の供給を受けることができる。これは、いずれか１つの伝導性ユニットに短絡が発生する場合、短絡が発生していない他の伝導性ユニットに流れなければならない電流が短絡が発生した伝導性ユニットに流れるようになり、有機発光素子の全体が作動しないことを防止するためである。
【００３３】
本明細書の前記伝導性連結部は前記第１電極において前記伝導性ユニットの端部であっても良く、その形態や位置は特に限定されない。例えば、伝導性ユニットが「コ」字形または「Ｌ」字形に形成された場合にその末端部であっても良い。または、前記伝導性連結部は、四角形をはじめとする多角形の伝導性ユニットの一頂点、一角または一辺の中間部分から突出した形態を有することができる。
【００３４】
本明細書の一実現例によれば、前記伝導性連結部は、電流が流れる方向の長さがそれに垂直方向の幅より長い短絡防止領域を含むことができる。具体的には、本明細書の一実現例によれば、前記伝導性連結部の短絡防止領域は、前記長さと前記幅の比が１０：１以上の領域を含むことができる。
【００３５】
本明細書の前記伝導性連結部は、前記伝導性ユニットに比べて相対的に高い抵抗を有することができる。さらに、本明細書の前記伝導性連結部は、前記有機発光素子において短絡防止機能を行うことができる。すなわち、本明細書の前記伝導性連結部は、有機発光素子の短絡欠陥が発生する場合、短絡欠陥にも関わらず、素子の作動を可能にする役割をする。
【００３６】
本明細書の一実現例によれば、前記伝導性連結部の材料は前記伝導性ユニットの材料と同一であっても良い。具体的には、前記伝導性連結部および前記伝導性ユニットは前記第１電極に含まれるものであり、同一の材料からなることができる。
【００３７】
短絡欠陥は、第２電極が直接第１電極に接触する場合に発生し得る。または、第１電極と第２電極との間に位置する有機物層の厚さの減少または変性などによって有機物層の機能を失って第１電極と第２電極が接触する場合にも発生し得る。短絡欠陥が発生する場合、有機発光素子の電流に低い経路を提供して、有機発光素子が正常に作動できないようにする。短絡欠陥により、第１電極から第２電極に直接電流が流れる漏れ電流によって、有機発光素子の電流は無欠陥区域を避けて流れる。これは、有機発光素子の発光出力を減少させ、相当な場合に有機発光素子が作動することができない。また、広い面積の有機物に分散して流れていた電流が短絡発生地点に集中して流れるようになれば、局部的に高熱が発生して素子が壊れるか火災が発生する危険がある。
【００３８】
しかし、本明細書の前記有機発光素子の伝導性ユニットのうちいずれか１つ以上に短絡欠陥が発生しても、前記伝導性連結部によって全ての作動電流が短絡欠陥部位に流れることを防止することができる。すなわち、前記伝導性連結部は、漏れ電流の量が無制限に増加しないように制御する役割をすることができる。したがって、本明細書の前記有機発光素子は、一部の伝導性ユニットに短絡欠陥が発生しても、短絡欠陥のない残りの伝導性ユニットは正常に作動することができる。
【００３９】
本明細書の前記伝導性連結部は高い抵抗値を有するため、短絡欠陥の発生時、適正な抵抗を付加して電流が短絡欠陥部位を通して抜け出ることを防止する役割をする。このために、前記伝導性連結部は、短絡欠陥による漏れ電流およびそれと関連した発光効率の損失を減少させるのに適切な抵抗値を有することができる。
【００４０】
本明細書の一実現例によれば、前記伝導性連結部は、長さと幅の比が１０：１以上である短絡防止領域を含んで短絡欠陥を防止できる抵抗値を有することができる。さらに、本明細書の一実現例によれば、前記長さと幅の比が１０：１以上である部分が前記伝導性連結部の全体領域であっても良い。または、前記長さと幅の比が１０：１以上である部分が前記伝導性連結部の一部領域であっても良い。
【００４１】
本明細書の前記長さと幅は相対的な概念であり、前記長さは、上部から見た時、前記伝導性連結部の一端から他端までの空間的距離を意味することができる。すなわち、前記伝導性連結部が直線の組み合わせであるか或いは曲線を含んでいても一直線に仮定して長さを測定した値を意味することができる。本明細書における前記幅は、上部から見た時、前記伝導性連結部の長さ方向の中心から垂直方向の両端までの距離を意味することができる。また、本明細書における前記幅が変わる場合、いずれか１つの伝導性連結部の幅の平均値であっても良い。図６は、本明細書の伝導性連結部において、短絡防止領域の長さと幅の一例を示すものである。
【００４２】
本明細書の前記長さは電流が流れる方向の寸法を意味することができる。また、本明細書の前記幅は電流が流れる方向と垂直な方向の寸法を意味することができる。
【００４３】
また、本明細書の前記長さは前記第１電極の通電部または前記補助電極から前記伝導性ユニットに達するまでの電流が移動する距離を意味することができ、前記幅は前記長さ方向に垂直な距離を意味することができる。
【００４４】
図６において、前記長さはａとｂの和であることができ、前記幅はｃであることができる。
【００４５】
本明細書の一実現例によれば、前記有機発光素子は、前記伝導性連結部と前記補助電極との間に備えられ、前記伝導性連結部の少なくとも一部を前記補助電極から絶縁する絶縁層を含む。
【００４６】
本明細書の一実現例によれば、前記絶縁層は、前記伝導性連結部の短絡防止領域の少なくとも一部を前記補助電極から絶縁するものであっても良い。具体的には、前記絶縁層は、前記伝導性連結部の短絡防止領域を補助電極から絶縁するものであっても良い。
【００４７】
本明細書の一実現例によれば、前記絶縁層は前記伝導性連結部の短絡防止領域上に備えられ、前記補助電極の少なくとも一部は前記絶縁層上に備えられるものであっても良い。
【００５０】
本明細書の一実現例によれば、基板上に前記第１電極が備えられ、前記第１電極の短絡防止領域の上面に絶縁層が備えられ、前記絶縁層の上面に前記補助電極が備えられることができる。
【００５１】
また、本明細書の一実現例によれば、基板上に前記補助電極が備えられ、前記補助電極の上面に絶縁層が備えられ、前記絶縁層上に前記第１電極の短絡防止領域が備えられることができる。
【００５２】
本明細書の一実現例によれば、前記補助電極と前記伝導性連結部は、前記有機発光素子の非発光領域に重なって備えられるものであっても良い。
【００５３】
本明細書の一実現例によれば、前記有機発光素子が第１電極の通電部を含まない場合、前記伝導性連結部と前記補助電極が電気的に接する一部領域を除いた残りの領域は前記絶縁層によって補助電極から絶縁されることができる。
【００５４】
本明細書の一実現例によれば、前記有機発光素子が第１電極の通電部を含む場合、前記伝導性連結部の全領域は前記絶縁層によって補助電極から絶縁されることができる。
【００５５】
本明細書の一実現例によれば、前記絶縁層は、前記伝導性連結部の短絡防止領域の少なくとも一部と前記補助電極との間に備えられることができる。
本明細書の一実現例によれば、前記補助電極は、前記短絡防止領域が備えられた領域の少なくとも一部に重なって備えられることができる。
【００５６】
本明細書の前記「重なり」は、有機発光素子の平面図を基準に、同一の領域に重なって備えられていることを意味することができる。
本明細書の一実現例によれば、前記絶縁層は、前記短絡防止領域を囲む形態で備えられることができる。
【００５７】
本明細書の前記伝導性連結部および前記補助電極は有機発光素子の非発光領域に該当することができる。したがって、前記有機発光素子の開口率を高めるためには、前記伝導性連結部と前記補助電極を重ねて備えることが必要である。
【００５８】
すなわち、前記補助電極を非発光領域である前記伝導性連結部から離隔して配置する場合、全体有機発光素子において非発光領域の面積が広くなる問題が発生し得る。したがって、前記伝導性連結部と前記補助電極が重なって備えられる場合、有機発光素子の開口率が減少することを防止することができる。
【００５９】
また、前記開口率の減少を防止することは、同一光束（ｌｕｍｉｎｏｕｓ  ｆｌｕｘ）条件で有機発光素子の作動電流密度が高くなって寿命が短縮する問題を解決することができる。
【００６０】
但し、前記補助電極と前記短絡防止領域が接するようになれば、補助電極の低い抵抗値によって前記短絡防止領域の抵抗値が低くなるため、適切な短絡防止機能をすることができなくなる。したがって、前記短絡防止領域の適切な抵抗値を維持するために前記絶縁層が必要である。すなわち、本明細書の前記絶縁層がない場合、前記伝導性連結部の短絡防止領域上に補助電極を形成すれば、補助電極の低い抵抗値によって前記短絡防止領域がろくに機能を行うことができなくなる。
【００６１】
本明細書の一実現例によれば、前記絶縁層は、前記短絡防止領域と前記補助電極が重なる領域において、前記短絡防止領域と前記補助電極との間に備えられることができる。
【００６２】
本明細書の一実現例によれば、前記短絡防止領域と前記補助電極との間は、第１電極または基板を基準に垂直方向から前記短絡防止領域と前記補助電極との間となることができる。
【００６３】
または、本明細書の一実現例によれば、前記絶縁層は、前記伝導性連結部の一末端部、すなわち前記補助電極により近い伝導性連結部の一末端部を除いた伝導性連結部領域を囲む形態で備えられることができる。または、前記絶縁層は、前記短絡防止領域の全体を囲む形態で備えられることができる。
【００６４】
本明細書の前記囲むことの意味は、基板上に前記伝導性連結部が備えられた場合、基板に接した領域を除いた領域に備えられ、他の物質と絶縁するようにすることを意味することができる。
【００６５】
図４および図５には本明細書の絶縁層が備えられた第１電極の一例を示す。図４および図５において、第１電極は伝導性連結部２および伝導性ユニット１を含み、絶縁層５は伝導性連結部の一末端部を除いた領域に備えられることが分かる。
【００６６】
また、図９は、本明細書の絶縁層が備えられた場合（ｇ）と絶縁層が備えられていない場合（ｆ）を比較したものである。図９において、絶縁層が備えられていない場合（ｆ）と絶縁層が備えられた場合（ｇ）の発光領域は伝導性ユニット１領域として同一である。しかし、（ｆ）の場合、伝導性連結部２と補助電極３が離隔して配置されて非発光領域が広くなることが分かる。これに対し、（ｇ）の場合は、伝導性連結部２と補助電極３が重なって配置されることができるため、非発光領域の面積を減らすことができる。
【００６７】
本明細書の一実現例によれば、１ｍＡ／ｃｍ２〜５ｍＡ／ｃｍ２のうちいずれか１つの値の電流密度において、前記伝導性連結部は下記式１の作動電圧上昇率および下記式２の作動電流対比漏れ電流の数値が同時に０．０３以下を満たす抵抗値を有することができる。
【００６８】
【数１】
0006469089.tif 000002
【００６９】
【数２】
0006469089.tif 000003
【００７０】
（前記Ｖｔ（Ｖ）は、伝導性連結部が適用され、短絡欠陥のない有機発光素子の作動電圧であり、
前記Ｖｏ（Ｖ）は、伝導性連結部が適用されず、短絡欠陥のない有機発光素子の作動電圧であり、
前記Ｉｔ（ｍＡ）は、伝導性連結部が適用され、短絡欠陥のない有機発光素子の作動電流であり、
前記Ｉｓ（ｍＡ）は、伝導性連結部が適用され、いずれか１つの伝導性ユニットに短絡欠陥がある有機発光素子での漏れ電流である。）
前記Ｖｏ（Ｖ）は、本明細書の伝導性連結部だけを除き、残りの構成は同一な有機発光素子において短絡欠陥がない場合の作動電圧を意味することができる。
【００７１】
本明細書の前記伝導性連結部の抵抗または抵抗値は、伝導性連結部の一末端部から他末端部までの抵抗を意味することができる。具体的には、前記伝導性連結部の抵抗または抵抗値は、伝導性ユニットから補助電極までの抵抗であることができる。または、前記伝導性連結部の抵抗または抵抗値は、伝導性ユニットから第１電極の通電部までの抵抗であることができる。または、前記伝導性連結部の抵抗または抵抗値は、伝導性ユニットから短絡防止層までの抵抗であることができる。
【００７２】
前記式１の作動電圧上昇率および前記式２の作動電流対比漏れ電流の数値が同時に０．０３以下を満たす伝導性連結部の抵抗値を導き出すための過程は下記の通りである。
短絡欠陥がない状態で、有機発光素子の作動電流（Ｉｔ）（ｍＡ）は下記の式で表すことができる。
【００７３】
【数３】
0006469089.tif 000004
【００７４】
前記ｎｃｅｌｌは、有機発光素子において発光領域に該当する伝導性ユニットの個数を意味する。
前記Ｉｃｅｌｌは、有機発光素子が正常作動時の１つの伝導性ユニットに作動する電流（ｍＡ）を意味する。
各々の伝導性ユニットは並列に連結されているため、全体有機発光素子に印加される抵抗（Ｒｏｒｇ）（Ω）は下記のように表すことができる。
【００７５】
【数４】
0006469089.tif 000005
【００７６】
前記Ｒｃｅｌｌ−ｏｒｇ（Ω）は、１つの伝導性ユニットでの有機物抵抗（Ω）を意味する。
前記伝導性連結部を含む有機発光素子は、伝導性連結部がない場合に比べて作動電圧が上昇する。したがって、伝導性連結部を適用しても、伝導性連結部による有機発光素子の効率の低下が大きくないように調節する必要がある。
【００７７】
有機発光素子の正常作動状態で伝導性連結部が追加されて発生する作動電圧上昇率は下記の式１のように表すことができる。
【００７８】
【数５】
0006469089.tif 000006
【００７９】
前記式１において、前記Ｖｔ（Ｖ）は、伝導性連結部が適用され、短絡欠陥のない有機発光素子の作動電圧であり、前記Ｖｏ（Ｖ）は、伝導性連結部が適用されず、短絡欠陥のない有機発光素子の作動電圧である。
前記作動電圧上昇率（（Ｖｔ−Ｖｏ）／Ｖｏ）は下記の式で計算することができる。
【００８０】
【数６】
0006469089.tif 000007
【００８１】
前記Ｒｃｅｌｌ−ｓｐｌは、１個の伝導性ユニットでの伝導性連結部の抵抗（Ω）を意味する。
前記Ｒｃｅｌｌ−ｏｒｇは、１個の伝導性ユニットでの有機物抵抗（Ω）を意味する。
前記作動電圧上昇率（（Ｖｔ−Ｖｏ）／Ｖｏ）は下記の式によって誘導することができる。
【００８２】
【数７】
0006469089.tif 000008
【００８３】
伝導性連結部がない有機発光素子の場合、短絡発生時の正常な有機物層を通して流れる電流（ｍＡ）をＩｎとし、短絡発生地点に流れる漏れ電流（ｍＡ）をＩｓとし、短絡が発生した地点の有機物の抵抗（Ω）をＲｏｒｇ−ｓと定義する場合、ＩｎおよびＩｓは下記のように表すことができる。
【００８４】
【数８】
0006469089.tif 000009
【００８５】
すなわち、伝導性連結部のない有機発光素子において、一部領域に短絡が発生する場合、Ｒｏｒｇ−ｓの値が０に近くに落ちて、設定された全ての電流が短絡領域（Ｉｓ）へ抜け出るようになる。したがって、伝導性連結部がない有機発光素子の場合、短絡が発生すれば、正常な有機物層に電流が流れないため、有機発光素子は発光しない。
【００８６】
前記伝導性連結部が備えられた有機発光素子の場合、Ｉｎ−ｃｅｌｌを短絡発生時に正常な発光領域を通して流れる電流（ｍＡ）と定義する時、各並列連結された伝導性ユニットの電圧は同一であり、全ての並列連結された伝導性ユニットでの電流の和は素子の作動電流（Ｉｔ）と同一である。これは下記の式から確認することができる。
【００８７】
【数９】
0006469089.tif 000010
【００８８】
また、前記伝導性連結部が備えられた有機発光素子の場合、短絡発生地点に流れる漏れ電流は下記のように求めることができる。
【００８９】
【数１０】
0006469089.tif 000011
【００９０】
したがって、本明細書の前記伝導性連結部が備えられた有機発光素子において、いずれか１つの伝導性ユニットの有機物層が短絡（Ｒｃｅｌｌ−ｓ＝０）しても、前記式から分かるように、分母の値が十分に大きくなれば漏れ電流の量を大幅に減らすことができる。
【００９１】
前記伝導性連結部が備えられた有機発光素子の作動電流（Ｉｔ）対比漏れ電流（Ｉｓ）の数値は下記の式２のように表すことができる。
【００９２】
【数１１】
0006469089.tif 000012
【００９３】
前記式２において、Ｉｔ（ｍＡ）は、伝導性連結部が適用され、短絡欠陥のない有機発光素子の作動電流であり、前記Ｉｓ（ｍＡ）は、伝導性連結部が適用され、いずれか１つの伝導性ユニットに短絡欠陥がある有機発光素子での漏れ電流である。
【００９４】
さらに、前記伝導性連結部が備えられた有機発光素子の作動電流（Ｉｔ）対比漏れ電流（Ｉｓ）の適切な数値範囲は下記の式によって求めることができる。
【００９５】
【数１２】
0006469089.tif 000013
【００９６】
本明細書の一実現例によれば、前記伝導性連結部は、前記有機発光素子の作動電圧上昇率（（Ｖｔ−Ｖｏ）／Ｖｏ）および作動電流対比漏れ電流の数値（Ｉｓ／Ｉｔ）が同時に０．０３以下を満たす抵抗値を有することができる。より具体的には、前記短絡防止層は、前記作動電圧上昇率（（Ｖｔ−Ｖｏ）／Ｖｏ）および作動電流対比漏れ電流の数値（Ｉｓ／Ｉｔ）が同時に０．０１以下を満たす抵抗値を有することができる。
【００９７】
具体的には、本明細書の一実現例によれば、前記式１および前記式２において、有機発光素子の作動時の電流密度は１ｍＡ／ｃｍ２〜５ｍＡ／ｃｍ２のうちいずれか１つの値であっても良い。
【００９８】
本明細書の一実現例によれば、前記伝導性連結部の抵抗は下記式３を満たすことができる。
［式３］
（伝導性連結部の長さ÷伝導性連結部の幅）×伝導性連結部のシート抵抗≧１，０００Ω
【００９９】
前記伝導性連結部の長さは伝導性連結部において電流が流れる方向の長さであり、伝導性連結部の一末端部から他末端部までの長さであることができる。また、前記伝導性連結部の幅は前記伝導性連結部の長さに垂直な方向の幅を意味することができ、伝導性連結部の幅が一定でない場合、幅の平均値を意味することができる。
【０１００】
すなわち、本明細書の一実現例によれば、前記伝導性連結部の抵抗は１，０００Ω以上３００，０００Ω以下であっても良い。
【０１０１】
本明細書の前記伝導性連結部の抵抗が前記範囲内である場合、短絡欠陥の発生時、前記伝導性連結部が適切な短絡防止機能を行うことができる。すなわち、前記伝導性連結部の抵抗が１，０００Ω以上である場合、短絡欠陥がある領域に漏れ電流が流れることを効果的に防止することができる。
【０１０２】
本明細書の一実現例によれば、前記各々の伝導性ユニットから前記第１電極の通電部または補助電極までの抵抗は１，０００Ω以上３００，０００Ω以下であっても良い。
【０１０３】
本明細書の一実現例によれば、前記伝導性ユニットは各々電気的に並列連結されることができる。本明細書の前記伝導性ユニットは互いに離隔して配置されることができる。本明細書の前記伝導性ユニットが互いに離隔して構成されていることに対し、下記の伝導性ユニット間の抵抗で確認することができる。
【０１０４】
具体的には、本明細書の一実現例によれば、前記１つの伝導性ユニットから隣り合う他の１つの伝導性ユニットまでの抵抗は、前記伝導性連結部の抵抗の２倍以上であっても良い。例えば、いずれか１つの伝導性ユニットとそれに隣り合うまた他の伝導性ユニットとの間の通電経路が伝導性連結部および補助電極を通してのみ形成される場合、伝導性ユニットとそれに隣り合う伝導性ユニットは補助電極および伝導性連結部を２度経るようになる。したがって、補助電極の抵抗値を無視しても、伝導性ユニット間の抵抗は少なくとも伝導性連結部の２倍の抵抗値を有することができる。
【０１０５】
本明細書の一実現例によれば、１つの前記伝導性ユニットと他の伝導性ユニット間の抵抗は２，０００Ω以上６００，０００Ω以下であっても良い。具体的には、前記抵抗値は、１つの伝導性ユニットから前記短絡防止部を経て隣接する他の伝導性ユニットまでの抵抗を意味することができる。すなわち、前記互いに異なる前記伝導性ユニット間の抵抗が２，０００Ω以上６００，０００Ω以下であるということは、各々の伝導性ユニットが短絡防止部と電気的に接し、それによって電流の供給を受けることを意味する。
【０１０６】
本明細書の一実現例によれば、前記伝導性ユニットは互いに離隔して配置されず、伝導性ユニット間に直接電気的に連結される場合、前記直接連結される領域の抵抗値は前記伝導性連結部の抵抗値より高くても良い。この場合、前記伝導性ユニットが互いに完全に離隔して配置されない場合であっても、短絡が発生した場合にも正常な短絡防止機能を維持することができる。
【０１０７】
本明細書の前記１つの伝導性ユニットから隣り合う他の１つの伝導性ユニットまでの抵抗は、前記１つの伝導性ユニットとそれに接する伝導性連結部および／または短絡防止層、補助電極、他の１つの伝導性連結部および／または短絡防止層、およびそれに接する他の１つの伝導性ユニットに達するまでの抵抗を意味することができる。
【０１０８】
本明細書の前記式３は、前記伝導性ユニットが伝導性連結部を通して電流の供給を受ける場合、前記伝導性連結部が短絡防止機能を遂行できる抵抗の下限値を意味することができる。
【０１０９】
本明細書の一実現例によれば、前記補助電極は前記伝導性ユニットから離隔して配置されることができる。すなわち、前記補助電極は、発光領域に該当する伝導性ユニットの領域から離隔して配置されることができる。
【０１１０】
本明細書の一実現例によれば、前記補助電極は前記伝導性ユニットから離隔して配置され、前記補助電極は１以上の前記伝導性ユニットを囲む３以上の分岐を有する分岐点を２以上含む網状構造で備えられることができる。
本明細書の隣接する前記分岐点間の抵抗は３５Ω以下であっても良い。
【０１１１】
短絡防止機能が適用された有機発光素子の一部の局所な領域に短絡欠陥が発生した場合、補助電極がストライプ形状で備えられると、短絡欠陥が発生した周辺領域の発光強度が低くなり得る。これは、短絡欠陥が発生した領域に正常作動時より約１００倍余りの多くの電流が流れるようになり、短絡欠陥が発生した領域の補助電極に大幅の電圧降下（ＩＲ  ｄｒｏｐ）現象が発生する。すなわち、短絡防止機能によって有機発光素子の全体が駆動しないことを防止することができるが、短絡欠陥が発生した領域周囲が暗くなる現象が発生して商品性が大幅に低下するという問題が発生し得る。
【０１１２】
したがって、本明細書の前記有機発光素子は、補助電極を３以上の分岐を有する２以上の分岐点を含むようにして、短絡が発生した場合に広い領域に電流を分散できるようにした。すなわち、本明細書の前記補助電極により、短絡発生領域の補助電極に発生する電圧降下（ＩＲ  ｄｒｏｐ）を最小限にして、短絡が発生した場合にも全体有機発光素子の発光強度が均一になるようにすることができる。
【０１１３】
本明細書の一実現例によれば、前記補助電極は隣接する前記分岐点間の抵抗が３５Ω以下であっても良い。具体的には、前記補助電極は隣接する前記分岐点間の抵抗が１８Ω以下であっても良い。
【０１１４】
または、本明細書の一実現例によれば、前記補助電極の隣接する分岐点間の距離は２１ｍｍ以下であっても良い。具体的には、前記分岐点間の距離は０．２ｍｍ以上２１ｍｍ以下であっても良い。
【０１１５】
本明細書の一実現例によれば、前記補助電極の隣接する分岐点間の距離は１０ｍｍ以下、または０．２ｍｍ以上１０ｍｍ以下であっても良い。
さらに、本明細書の一実現例によれば、前記補助電極の隣接する分岐点間の距離は１０ｍｍ以下および分岐点間の抵抗は１８Ω以下であっても良い。
【０１１６】
本明細書の前記補助電極の分岐点間の抵抗および／または分岐点間の距離が前記範囲内である場合、短絡発生時に電流の分散が容易となり、電圧降下（ＩＲ  ｄｒｏｐ）を最小化できるという長所がある。
本明細書の一実現例によれば、前記有機発光素子は、短絡発生によって１０％以上の輝度不均一が発生しない。
【０１１７】
具体的には、本明細書の一実現例による有機発光素子の前記補助電極の隣接する分岐点間の距離および分岐点間の抵抗範囲は下記の通りである。
図１０は、本明細書による有機発光素子の駆動特性を示すものである。すなわち、図１０は、前記有機発光素子の作動電圧に応じた明るさを示すものである。
【０１１８】
前記有機発光素子の作動電圧が６Ｖである場合に輝度は３０００ｎｉｔ内外であり、１０％の明るさ変化は２７００ｎｉｔ内外であるといえる。さらに、３０００ｎｉｔと２７００ｎｉｔとの作動電圧差は０．０６６Ｖである。また、５％の明るさ変化時の作動電圧差は０．０３３Ｖである。
【０１１９】
本明細書の一実現例によれば、前記有機発光素子が短絡した場合、正常作動時の１０％以内の輝度不均一を実現するためには、０．０６６Ｖ以下の電圧降下が発生しなければならない。前記０．０６６Ｖ以下の電圧降下だけを発生するようにするためには、短絡が発生した伝導性ユニットに連結された補助電極の隣接した分岐点間の抵抗が３５Ω以下でなければならない。または、前記補助電極の幅を厚くして電圧降下を防止するか、前記分岐点間の長さが２１ｍｍを超過する前に他の分岐点によって電流が分散するようにしなければならない。
【０１２０】
また、本明細書の一実現例によれば、前記有機発光素子が短絡した場合、正常作動時の５％以内の輝度不均一を実現するためには、０．０３３Ｖ以下の電圧降下が発生しなければならない。前記０．０３３Ｖ以下の電圧降下だけを発生するようにするためには、短絡が発生した伝導性ユニットに連結された補助電極の隣接した分岐点間の抵抗が１８Ω以下でなければならない。または、前記補助電極の幅を厚くして電圧降下を防止するか、前記分岐点間の長さが１０ｍｍを超過する前に他の分岐点によって電流が分散するようにしなければならない。
【０１２１】
本明細書の一実現例によれば、前記第１電極は互いに離隔した１，０００個以上の前記伝導性ユニットを含むことができる。具体的には、前記第１電極は互いに離隔した１，０００以上１，０００，０００以下の前記伝導性ユニットを含むことができる。
【０１２２】
また、本明細書の一実現例によれば、前記第１電極は２以上の前記伝導性ユニットのパターンで形成されたものであっても良い。具体的には、前記伝導性ユニットは伝導性連結部を除いた領域が互いに離隔したパターンで形成されたものであっても良い。
【０１２３】
本明細書の前記パターンは閉鎖図形の形状を有することができる。具体的には、前記パターンは三角形、四角形、六角形などの多角形であっても良く、無定形の形状であっても良い。
【０１２４】
本明細書の前記伝導性ユニットの数が１，０００個以上である場合、前記有機発光素子が正常作動時に電圧上昇幅を最小化し、且つ短絡発生時の漏れ電流量を最小化する効果を有することができる。また、本明細書の前記伝導性ユニットの数が１，０００，０００個以下まで増加するほど開口率を維持し、前記効果を維持することができる。すなわち、前記伝導性ユニットの数が１，０００，０００個を超過する場合、補助電極の個数の増加による開口率の低下が発生し得る。
【０１２５】
本明細書の一実現例によれば、前記伝導性ユニットが前記有機発光素子において占める面積は、前記全体有機発光素子の平面図を基準に５０％以上９０％以下であっても良い。具体的には、前記伝導性ユニットは発光領域に含まれるものであり、全体有機発光素子が光を放出する面を基準に、前記伝導性ユニットが占める面積は有機発光素子の開口率と同一または類似する。
【０１２６】
本明細書の前記第１電極は各々の伝導性ユニットが前記伝導性連結部によって電気的に連結されるため、素子の駆動電圧が上昇する。したがって、本明細書の一実現例によれば、前記伝導性連結部による駆動電圧の上昇を補完するために、前記第１電極は１，０００個以上の前記伝導性ユニットを含むことによって素子の駆動電圧を下げると同時に前記伝導性連結部による短絡防止機能を有するようにすることができる。
【０１２７】
本明細書の一実現例によれば、前記各々の伝導性ユニットの面積は０．０１ｍｍ２以上２５ｍｍ２以下であっても良い。
【０１２８】
前記各々の伝導性ユニットの面積を小さくする場合、短絡防止のために導入された伝導性連結部による作動電圧上昇率および作動電流対比漏れ電流の値を同時に下げることができるという長所がある。また、短絡が発生して発光をしない伝導性ユニットが発生する場合、非発光領域を最小化して製品の品質低下を最小化できるという長所がある。但し、伝導性ユニットの面積を過度に小さくする場合、素子の全体領域において発光領域の比率が大幅に減少し、開口率の減少による有機発光素子の効率が低下するという問題がある。したがって、前記伝導性ユニットの面積で有機発光素子を製造する場合、前記で記述した短所を最小化すると同時に前記で言及した長所を最大に発揮することができる。
【０１２９】
本明細書の前記有機発光素子は、前記伝導性連結部と前記伝導性ユニットおよび発光層を含む有機物層は互いに電気的に直列連結されることができる。本明細書の前記発光層は前記第１電極と前記第２電極との間に位置し、２以上の発光層は各々電気的に並列連結されることができる。
【０１３０】
本明細書の一実現例によれば、前記発光層は前記伝導性ユニットと第２電極との間に位置し、各々の発光層は互いに電気的に並列連結されることができる。すなわち、本明細書の前記発光層は前記伝導性ユニットに該当する領域に対応して位置することができる。
【０１３１】
本明細書の前記発光層が同一の電流密度で作動する場合、抵抗値は発光層の面積が小さくなるほど増加する。本明細書の一実現例によれば、前記各々の伝導性ユニットの面積が小さくなり、数が増加する場合、前記各々の発光層の面積も小さくなる。この場合、前記有機発光素子の作動時、発光層を含む有機物層に印加される電圧に比べ、前記有機物層に直列連結された前記伝導性連結部の電圧の比率は減少する。
【０１３２】
本明細書の前記有機発光素子に短絡が発生した場合、漏れ電流量は伝導性ユニット数には関わらず補助電極から伝導性ユニットまでの抵抗値と作動電圧によって決定されることができる。したがって、前記伝導性ユニット数を増加させれば、正常作動時の伝導性連結部による電圧上昇現象を最小化することができ、同時に短絡発生時の漏れ電流量も最小化することができる。
【０１３３】
本明細書の一実現例によれば、前記補助電極のシート抵抗は３Ω／□以下であっても良い。具体的には、前記シート抵抗は１Ω／□以下であっても良い。
【０１３４】
広い面積の第１電極および第２電極のうちいずれか１つのシート抵抗が必要レベル以上に高い場合、電極の位置別に電圧が異なり得る。このため、有機物層を間に置く第１電極と第２電極の電位差が位置に応じて異なるようになると、有機発光素子の輝度均一性が低下する。したがって、必要レベル以上に高いシート抵抗を有する第１電極または第２電極のシート抵抗を下げるために、補助電極を用いることができる。本明細書の前記補助電極のシート抵抗は３Ω／□以下、具体的には１Ω／□以下であっても良く、前記範囲で前記有機発光素子の輝度均一性は高く維持される。
【０１３５】
本明細書の一実現例によれば、前記第１電極は透明電極で形成されることができる。この場合、前記第１電極のシート抵抗は前記有機発光素子を駆動するために求められるシート抵抗値より高くても良い。したがって、前記第１電極のシート抵抗値を下げるために、前記補助電極を前記第１電極と電気的に連結して前記第１電極のシート抵抗を前記補助電極のシート抵抗レベルまで下げることができる。
【０１３６】
本明細書の一実現例によれば、前記補助電極は発光領域以外の領域に備えられることができる。具体的には、前記補助電極は第１電極の通電部上に備えられることができる。または、前記補助電極は、第１電極の通電部が存在しない場合、第１電極の通電部が位置する領域に備えられることができる。
【０１３７】
本明細書の一実現例によれば、前記補助電極は互いに電気的に連結された伝導性ラインからなることができる。具体的には、前記伝導性ラインは伝導性パターンからなることができる。具体的には、本明細書の前記補助電極の少なくとも１つの部位に電圧を印加して全体補助電極を駆動することができる。
【０１３８】
本明細書の一実現例によれば、前記有機発光素子はＯＬＥＤ照明に含まれて用いられることができる。前記ＯＬＥＤ照明の場合、全体発光領域、すなわち全ての前記有機発光素子において均一な明るさの発光をすることが重要である。具体的には、前記ＯＬＥＤ照明において均一な明るさを実現するためには、前記ＯＬＥＤ照明に含まれた全ての有機発光素子の第１電極および第２電極間に形成される電圧が同一に維持されることが好ましい。
【０１３９】
本明細書の前記第１電極が透明電極であり、前記第２電極が金属電極である場合、各有機発光素子の第２電極は十分にシート抵抗が低くて各有機発光素子の第２電極の電圧差がほぼないが、第１電極の場合は各有機発光素子の電圧差が存在し得る。本明細書の一実現例によれば、前記各有機発光素子の第１電極の電圧差を補完するために前記補助電極、具体的には金属補助電極を用いることができる。
【０１４０】
本明細書の一実現例によれば、前記金属補助電極は互いに電気的に連結された伝導性ラインからなるものであっても良い。具体的には、前記補助電極が伝導性ラインを形成して各有機発光素子の第１電極の電圧差をほぼないようにすることができる。
【０１４１】
本明細書の一実現例によれば、前記伝導性ユニットのシート抵抗は１Ω／□以上、または３Ω／□以上であっても良く、具体的には、１０Ω／□以上であっても良い。また、前記伝導性ユニットのシート抵抗は１０，０００Ω／□以下、または１，０００Ω／□以下であっても良い。すなわち、本明細書の前記伝導性ユニットのシート抵抗は１Ω／□以上１０，０００Ω／□以下、または１０Ω／□以上１，０００Ω／□以下であっても良い。
【０１４２】
本明細書の一実現例によれば、前記伝導性ユニットに求められるシート抵抗レベルは、発光面積に該当する伝導性ユニットの面積に反比例するように制御することができる。例えば、前記伝導性ユニットが１００ｃｍ２面積の発光面積を有する場合、前記伝導性ユニットに求められるシート抵抗は１Ω／□内外であっても良い。さらに、各々の前記伝導性ユニットの面積を小さく形成する場合、前記伝導性ユニットに求められるシート抵抗は１Ω／□以上であっても良い。
【０１４３】
本明細書の一実現例によれば、第１電極をＩＴＯのような透明電極で形成する場合、前記伝導性ユニットのシート抵抗を１Ω／□以上を満たすようにするために補助電極を用いることができる。具体的には、前記補助電極は金属補助電極であっても良い。
【０１４４】
本明細書の前記伝導性ユニットのシート抵抗は伝導性ユニットを形成する材料によって決定されることができ、また、補助電極と電気的に連結されて補助電極のシート抵抗レベルまで下げることもできる。したがって、本明細書の前記有機発光素子に求められる伝導性ユニットのシート抵抗値は、前記補助電極と前記伝導性ユニットの材料によって調節が可能である。
【０１４５】
本明細書の一実現例によれば、前記第１電極と前記補助電極との間に備えられた短絡防止層をさらに含むことができる。本明細書の前記短絡防止層は前記伝導性連結部の短絡防止機能を補助することができる。
【０１４６】
本明細書の一実現例によれば、前記短絡防止層は補助電極の少なくとも一面に接して備えられることができる。具体的には、本明細書の一実現例によれば、前記短絡防止層は、補助電極が形成される上面、下面または側面に備えられることができる。
【０１４７】
本明細書の一実現例によれば、前記第１電極と前記補助電極との間に備えられた短絡防止層をさらに含み、前記補助電極は短絡防止層を経由して前記伝導性ユニットを電気的に連結することができる。
【０１４８】
本明細書の前記短絡防止層は前記第１電極の通電部上に備えられることができる。または、前記第１電極の通電部がない場合、前記短絡防止層は前記伝導性連結部の一末端部に接して備えられることができる。
【０１４９】
本明細書の一実現例によれば、前記有機発光素子が短絡防止層を含む場合、前記式１および２における伝導性連結部は伝導性連結部および短絡防止層を含む意味として解釈されることができる。
【０１５０】
本明細書の一実現例によれば、前記短絡防止層の補助電極から第１電極までの抵抗は１，０００Ω以上３００，０００Ω以下であっても良い。具体的には、短絡防止層の前記補助電極から第１電極までの抵抗は、前記補助電極からいずれか１つの伝導性連結部までの抵抗であっても良い。
【０１５１】
具体的には、本明細書の一実現例によれば、前記有機発光素子は前記第１電極と前記補助電極との間に備えられた短絡防止層をさらに含み、前記補助電極から第１電極までの抵抗は１，０００Ω以上３００，０００Ω以下であっても良い。
【０１５２】
また、本明細書の一実現例によれば、前記短絡防止層による抵抗増加によって、前記短絡防止層を経由して電気的に連結される前記補助電極と前記伝導性ユニット間の抵抗は１，０００Ω以上３００，０００Ω以下であっても良い。
本明細書の一実現例によれば、前記短絡防止層の厚さは１ｎｍ以上１０μｍ以下であっても良い。
【０１５３】
前記厚さ範囲および／または前記厚さ方向の抵抗範囲内で、短絡防止層は、有機発光素子に短絡が発生していない場合に正常な作動電圧を維持することができる。また、前記厚さ範囲および／または前記厚さ方向の抵抗範囲内で、前記有機発光素子に短絡が発生した場合にも有機発光素子が正常範囲内で作動することができる。
【０１５４】
具体的には、本明細書の一実現例によれば、前記短絡防止層の抵抗は、前記補助電極から前記伝導性連結部までの抵抗を意味することができる。または、本明細書の一実現例によれば、前記短絡防止層の抵抗は、前記補助電極から前記第１電極の通電部までの抵抗を意味することができる。すなわち、前記短絡防止層の抵抗は、前記補助電極から前記伝導性連結部まで電気的に連結するための電気的距離に応じた抵抗であることができる。
【０１５５】
本明細書の一実現例によれば、前記短絡防止層の体積抵抗率（ρｓｌｐ）（Ωｃｍ）は下記の式で求めることができる。
【０１５６】
【数１３】
0006469089.tif 000014
【０１５７】
前記Ａｓｐｌ（ｃｍ２）は、１つの伝導性ユニットに形成された補助電極から短絡防止層を通して１個の伝導性ユニットまで厚さ方向に電気が流れる面積を意味する。すなわち、１つの第１電極上に形成された短絡防止層の面積中、短絡防止層の上部に形成された補助電極の面積と重なる面積を意味することができる。
【０１５８】
前記Ｒｃｅｌｌ−ｓｐｌは１個の伝導性ユニットでの短絡防止部の抵抗（Ω）を意味する。
前記ｔｓｌｐ（μｍ）は短絡防止層の厚さを意味することができる。または、補助電極から伝導性連結部または伝導性ユニットまで電気が移動する最短距離を意味することができる。
【０１５９】
前記厚さ方向とは短絡防止層において電気が移動する一例によるものであり、短絡防止層の一領域から他領域に電気が移動する方向を意味することができる。
【０１６０】
具体的には、Ａｓｐｌ（ｃｍ２）は、短絡防止層が第１電極と補助電極との間に位置する場合、下部の第１電極と上部の補助電極に同時に重なる短絡防止層の面積を意味することができる。一例として、第１電極上に短絡防止層の全体下部面が接して形成され、前記短絡防止層の上部全体面に補助電極が接して形成された場合、Ａｓｐｌ（ｃｍ２）は第１電極と重なる短絡防止層の面積となることができる。また１つの一例として、第１電極上に短絡防止層の全体下部面が接して形成され、前記短絡防止層の一部上部面に補助電極が形成された場合、Ａｓｐｌ（ｃｍ２）は第１電極と補助電極が同時に重なる短絡防止層の面積となることができる。
【０１６１】
前記式から分かるように、１つの伝導性ユニットに形成された短絡防止層の体積抵抗率（ρｓｌｐ）は、１つの伝導性ユニットでの短絡防止層の厚さ方向の抵抗（Ｒｃｅｌｌ−ｓｐｌ）、１つの伝導性ユニットに形成された補助電極から短絡防止層を通して１個の伝導性ユニットまで厚さ方向に電気が流れる面積（Ａｓｐｌ）および短絡防止層の厚さ（ｔｓｌｐ）によって決定されることができる。
【０１６２】
本明細書の一実現例によれば、前記短絡防止層の体積抵抗率は９Ωｃｍ以上８．１×１０１０Ωｃｍ以下であっても良い。前記範囲内で、短絡防止層は、有機発光素子に短絡が発生していない場合に正常な作動電圧を維持することができる。また、短絡防止機能を行うことができ、短絡が発生した場合にも、有機発光素子が正常範囲内で作動することができる。前記体積抵抗率は下記のように求めることができる。
【０１６３】
本明細書の一実現例によれば、前記短絡防止層の抵抗の範囲は１，０００Ω以上３００，０００Ω以下であり、前記短絡防止層の厚さは１ｎｍ以上１０μｍ以下であり、１つのセルの面積は３００×３００μｍ２〜３×３ｍｍ２である場合、前記１つのセルに形成された補助電極から短絡防止層を通して１つのセルの第１電極まで厚さ方向に電気が流れる面積（Ａｓｐｌ）は、１つのセル面積の１％〜３０％レベルで決定されることができる。したがって、前記１つのセルに形成された補助電極から短絡防止層を通して１つのセルの第１電極まで厚さ方向に電気が流れる面積（Ａｓｐｌ）は、９×１０−６ｃｍ２（３００μｍ×３００μｍ×０．０１）〜２．７×１０−２ｃｍ２（０．３ｃｍ×０．３ｃｍ×０．３）となることができる。この場合、前記短絡防止層の体積抵抗率は下記の式のように求めることができる。
【０１６４】
【数１４】
0006469089.tif 000015
【０１６５】
本明細書の一実現例によれば、前記短絡防止層は、炭素粉末；炭素被膜；導電性高分子；有機高分子；金属；金属酸化物；無機酸化物；金属硫化物；および絶縁物質からなる群から選択される１種または２種以上を含むものであっても良い。具体的には、前記短絡防止層は、ジルコニウム酸化物（ＺｒＯ２）、ニクロム（ｎｉｃｈｒｏｍｅ）、インジウムスズ酸化物（ＩＴＯ）、亜鉛硫化物（ＺｎＳ）およびシリコン二酸化物（ＳｉＯ２）からなる群から選択される２以上の混合物を用いることができる。
【０１６６】
本明細書の一実現例によれば、前記有機発光素子は基板をさらに含み、前記基板上に前記第１電極が備えられることができる。
本明細書の一実現例によれば、前記第１電極は透明電極であっても良い。
【０１６７】
前記第１電極が透明電極である場合、前記第１電極は酸化スズインジウム（ＩＴＯ）または酸化亜鉛インジウム（ＩＺＯ）などのような伝導性酸化物であっても良い。さらに、前記第１電極は半透明電極であっても良い。前記第１電極が半透明電極である場合、Ａｇ、Ａｕ、Ｍｇ、Ｃａまたはこれらの合金のような半透明金属から製造されることができる。半透明金属が第１電極として用いられる場合、前記有機発光素子は微少空洞構造を有することができる。
【０１６８】
本明細書の一実現例によれば、前記補助電極は金属材質からなることができる。すなわち、前記補助電極は金属電極であっても良い。
【０１６９】
前記補助電極は一般的に全ての金属を用いることができる。具体的には、伝導度の良いアルミニウム、銅および／または銀を含むことができる。前記補助電極は、透明電極との付着力およびフォト工程での安定性のためにアルミニウムを用いる場合、モリブデン／アルミニウム／モリブデン層を用いることもできる。
【０１７０】
本明細書の一実現例によれば、前記有機物層は発光層と正孔注入層；正孔輸送層；正孔遮断層；電荷発生層；電子遮断層；電子輸送層；および電子注入層からなる群から選択される１種または２種以上をさらに含むことができる。
前記電荷発生層（Ｃｈａｒｇｅ  Ｇｅｎｅｒａｔｉｎｇ  ｌａｙｅｒ）は、電圧を印加すれば、正孔と電子が発生する層をいう。
【０１７１】
前記基板は、透明性、表面平滑性、取り扱い容易性および防水性に優れた基板を用いることができる。具体的には、ガラス基板、薄膜ガラス基板または透明プラスチック基板を用いることができる。前記プラスチック基板は、ＰＥＴ（ｐｏｌｙｅｔｈｙｌｅｎｅ  ｔｅｒｅｐｈｔｈａｌａｔｅ）、ＰＥＮ（Ｐｏｌｙｅｔｈｙｌｅｎｅ  ｎａｐｈｔｈａｌａｔｅ）、ＰＥＥＫ（Ｐｏｌｙｅｔｈｅｒ  ｅｔｈｅｒ  ｋｅｔｏｎｅ）およびＰＩ（Ｐｏｌｙｉｍｉｄｅ）などのフィルムが単層または複層の形態で含まれることができる。また、前記基板は、基板そのものに光散乱機能が含まれているものであっても良い。但し、前記基板はこれに限定されず、有機発光素子に通常用いられる基板を用いることができる。
【０１７２】
本明細書の一実現例によれば、前記第１電極はアノードであり、前記第２電極はカソードであっても良い。また、前記第１電極はカソードであり、前記第２電極はアノードであっても良い。
【０１７３】
前記アノードとしては、通常、有機物層への正孔注入が円滑になるように仕事関数の大きい物質が好ましい。本発明で用いることのできるアノード物質の具体的な例としてはバナジウム、クロム、銅、亜鉛、金のような金属またはこれらの合金；亜鉛酸化物、インジウム酸化物、インジウムスズ酸化物（ＩＴＯ）、インジウム亜鉛酸化物（ＩＺＯ）のような金属酸化物；ＺｎＯ：ＡｌまたはＳｎＯ２：Ｓｂのような金属と酸化物の組み合わせ；ポリ（３−メチルチオフェン）、ポリ［３，４−（エチレン−１，２−ジオキシ）チオフェン］（ＰＥＤＯＴ）、ポリピロールおよびポリアニリンのような導電性高分子などが挙げられるが、これらのみに限定されるものではない。
【０１７４】
前記アノード材料はアノードにのみ限定されるものではなく、カソードの材料として用いられることができる。
【０１７５】
前記カソードとしては、通常、有機物層への電子注入が容易になるように仕事関数の小さい物質が好ましい。カソード物質の具体的な例としてはマグネシウム、カルシウム、ナトリウム、カリウム、チタニウム、インジウム、イットリウム、リチウム、ガドリニウム、アルミニウム、銀、スズおよび鉛のような金属またはこれらの合金；ＬｉＦ／ＡｌまたはＬｉＯ２／Ａｌのような多層構造の物質などが挙げられるが、これらのみに限定されるものではない。
【０１７６】
前記カソードの材料はカソードにのみ限定されるものではなく、アノードの材料として用いられることができる。
【０１７７】
本明細書による前記正孔輸送層物質としては、アノードや正孔注入層から正孔の輸送を受けて発光層に移せる物質として、正孔に対する移動性の大きい物質が好適である。具体的な例としてはアリールアミン系の有機物、導電性高分子、および共役部分と非共役部分が共に存在するブロック共重合体などが挙げられるが、これらのみに限定されるものではない。
【０１７８】
本明細書による前記発光層物質としては、正孔輸送層と電子輸送層から正孔と電子の輸送を各々受けて結合させることによって可視光線領域の光を出せる物質として、蛍光や燐光に対する量子効率の良い物質が好ましい。具体的な例としては８−ヒドロキシ−キノリンアルミニウム錯体（Ａｌｑ３）；カルバゾール系の化合物；二量体化スチリル（ｄｉｍｅｒｉｚｅｄ  ｓｔｙｒｙｌ）化合物；ＢＡｌｑ；１０−ヒドロキシベンゾキノリン−金属化合物；ベンゾオキサゾール、ベンズチアゾールおよびベンズイミダゾール系の化合物；ポリ（ｐ−フェニレンビニレン）（ＰＰＶ）系の高分子；スピロ（ｓｐｉｒｏ）化合物；ポリフルオレン；ルブレンなどが挙げられるが、これらのみに限定されるものではない。
【０１７９】
本明細書による前記電子輸送層物質としては、カソードから電子の注入を円滑に受けて発光層に移せる物質として、電子に対する移動性の大きい物質が好適である。具体的な例としては８−ヒドロキシキノリンのＡｌ錯体；Ａｌｑ３を含む錯体；有機ラジカル化合物；ヒドロキシフラボン−金属錯体などが挙げられるが、これらのみに限定されるものではない。
【０１８０】
本明細書の一実現例によれば、前記補助電極は前記有機発光素子の非発光領域に位置することができる。
本明細書の一実現例によれば、前記有機発光素子は非発光領域に追加の絶縁層をさらに含むことができる。
【０１８１】
本明細書の一実現例によれば、前記追加の絶縁層は前記補助電極を前記有機物層から絶縁させるものであっても良い。
本明細書の一実現例によれば、前記有機発光素子は封止層で密閉されていても良い。
【０１８２】
前記封止層は透明な樹脂層で形成されることができる。前記封止層は前記有機発光素子を酸素および汚染物質から保護する役割をし、前記有機発光素子の発光を阻害しないように透明な材質であっても良い。前記透明は６０％以上光を透過することを意味することができる。具体的には、７５％以上光を透過するのを意味することができる。
【０１８３】
本明細書の一実現例によれば、前記有機発光素子は、色温度２，０００Ｋ以上１２，０００Ｋ以下の白色光を発光することができる。
本明細書の一実現例によれば、前記有機発光素子は光散乱層を含むことができる。
【０１８４】
具体的には、本明細書の一実現例によれば、前記第１電極の有機物層が備えられる面と対向する面に備えられた基板をさらに含み、前記基板と前記第１電極との間に備えられた光散乱層をさらに含むことができる。本明細書の一実現例によれば、前記光散乱層は平坦層を含むことができる。本明細書の一実現例によれば、前記平坦層は前記第１電極と前記光散乱層との間に備えられることができる。
【０１８５】
または、本明細書の一実現例によれば、前記基板の第１電極が備えられた面に対向する面に光散乱層をさらに含むことができる。
【０１８６】
本明細書の一実現例によれば、前記光散乱層は光散乱を誘導して、前記有機発光素子の光散乱効率を向上できる構造であれば特に制限されない。具体的には、本明細書の一実現例によれば、前記光散乱層は、バインダー内に散乱粒子が分散した構造、凹凸を有したフィルム、および／またはヘイズ（ｈａｚｅｎｅｓｓ）を有するフィルムであっても良い。
【０１８７】
本明細書の一実現例によれば、前記光散乱層は、基板上にスピンコーティング、バーコーティング、スリットコーティングなどの方法によって直接形成されるか、フィルム形態に製作して付着する方式によって形成されることができる。
【０１８８】
本明細書の一実現例によれば、前記有機発光素子はフレキシブル（ｆｌｅｘｉｂｌｅ）有機発光素子であっても良い。この場合、前記基板はフレキシブルな材料を含むことができる。具体的には、前記基板は曲げることのできる薄膜形態のガラス、プラスチック基板またはフィルム形態の基板であっても良い。
【０１８９】
前記プラスチック基板の材料は特に限定されないが、一般的にＰＥＴ（ｐｏｌｙｅｔｈｙｌｅｎｅ  ｔｅｒｅｐｈｔｈａｌａｔｅ）、ＰＥＮ（Ｐｏｌｙｅｔｈｙｌｅｎｅ  ｎａｐｈｔｈａｌａｔｅ）、ＰＥＥＫ（Ｐｏｌｙｅｔｈｅｒ  ｅｔｈｅｒ  ｋｅｔｏｎｅ）およびＰＩ（Ｐｏｌｙｉｍｉｄｅ）などのフィルムを単層または複層の形態で含むものであっても良い。
【０１９０】
本明細書は前記有機発光素子を含むディスプレイ装置を提供する。前記ディスプレイ装置において、前記有機発光素子は画素またはバックライトの役割をすることができる。その他、ディスプレイ装置の構成は当技術分野で周知のものが適用されることができる。
【０１９１】
本明細書は前記有機発光素子を含む照明装置を提供する。前記照明装置において、前記有機発光素子は発光部の役割をする。その他、照明装置に必要な構成は当技術分野で周知のものが適用されることができる。
【０１９２】
本明細書の一実現例は、基板を準備するステップ、前記基板上に２以上の伝導性ユニットおよび前記伝導性ユニットの各々に連結された伝導性連結部を含む第１電極を形成するステップ、前記基板上に補助電極を形成するステップ、前記伝導性連結部の少なくとも一領域と前記補助電極との間に絶縁層を形成するステップ、前記第１電極上に１層以上の有機物層を形成するステップ、および前記有機物層上に第２電極を形成するステップを含む前記有機発光素子の製造方法を提供する。
【０１９３】
本明細書の一実現例によれば、前記第１電極を形成するステップは、前記基板上に第１電極物質を塗布した後にパターニングするものであっても良い。前記第１電極をパターニングすることにより、前記第１電極は２以上の前記伝導性ユニット、前記伝導性連結部および／または前記第１電極の通電部を含むことができる。
【０１９４】
図７および図８は、本明細書による有機発光素子の１つの製造ステップを示すものである。図７および図８において、（ａ）は基板６上に第１電極８を形成したものを示し、（ｂ）は第１電極をパターニングして伝導性ユニット１と伝導性連結部２を形成したものを示し、（ｃ）は絶縁層を形成したものを示し、（ｄ）は補助電極を形成したものを示し、（ｅ）は非発光領域に追加の絶縁層を形成したものを示す。
【０１９５】
本明細書の一実現例によれば、前記製造方法は、前記第１電極を形成するステップ後、前記補助電極を形成するステップを含むことができる。
本明細書の一実現例によれば、前記基板上に前記第１電極を形成するステップ後、前記伝導性連結部の少なくとも一領域上に絶縁層を形成し、前記絶縁層上に前記補助電極を形成することができる。
【０１９６】
また、本明細書の一実現例によれば、前記製造方法は、前記補助電極を形成するステップ後、前記第１電極を形成するステップを含むことができる。
本明細書の一実現例によれば、前記基板上に前記補助電極を形成するステップ後、前記絶縁層を形成し、前記絶縁層上に前記伝導性連結部の少なくとも一領域が備えられるように第１電極を形成することができる。
【０１９７】
または、本明細書の一実現例によれば、前記製造方法は、前記補助電極を形成するステップ後、前記第１電極を形成するステップが含まれることができる。この場合、前記補助電極を形成するステップと前記第１電極を形成するステップとの間に前記絶縁層を形成するステップが含まれることができる。
【０１９８】
また、本明細書の一実現例によれば、前記有機発光素子の製造方法は、前記第１電極を形成するステップと前記補助電極を形成するステップとの間に、短絡防止層を形成するステップをさらに含むことができる。
【符号の説明】
【０１９９】
１  ・・・伝導性ユニット
２  ・・・伝導性連結部
３  ・・・補助電極
４  ・・・第１電極の通電部
５  ・・・絶縁層
６  ・・・基板
７  ・・・追加の絶縁層
８  ・・・第１電極
【図１】
0006469089.tif 000016
【図２】
0006469089.tif 000017
【図３】
0006469089.tif 000018
【図４】
0006469089.tif 000019
【図５】
0006469089.tif 000020
【図６】
0006469089.tif 000021
【図７（ａ）】
0006469089.tif 000022
【図７（ｂ）】
0006469089.tif 000023
【図７（ｃ）】
0006469089.tif 000024
【図７（ｄ）】
0006469089.tif 000025
【図７（ｅ）】
0006469089.tif 000026
【図８（ａ）】
0006469089.tif 000027
【図８（ｂ）】
0006469089.tif 000028
【図８（ｃ）】
0006469089.tif 000029
【図８（ｄ）】
0006469089.tif 000030
【図８（ｅ）】
0006469089.tif 000031
【図９】
0006469089.tif 000032
【図１０】
0006469089.tif 000033